(57)【特許請求の範囲】
【請求項１】
複数種類の電子部品を実装した回路基板を備える遊技台であって、
前記回路基板は、略矩形なものであり、
前記回路基板は、前記略矩形の対向する一対の辺として、第一の縁辺と第二の縁辺を備え、
前記回路基板は、前記第一の縁辺の近傍に第一のグランドパターンを備えるものであり、
前記回路基板は、前記第一の縁辺の近傍に第二のグランドパターンを備えるものであり、
前記第二のグランドパターンは、前記第一のグランドパターンに隣接しており、
前記第一のグランドパターンの一縁は、前記第一の縁辺に沿う第一の仮想直線の上に位置されたものであり、
前記第二のグランドパターンの一縁は、前記第一の縁辺に沿う第二の仮想直線の上に位置されたものであり、
前記第二の仮想直線は、前記第一の仮想直線から前記第二の縁辺に向けて僅少離隔して位置されたものであり、
前記回路基板は、前記複数種類の電子部品を実装した面に前記第一のグランドパターン及び前記第二のグランドパターンを形成するものであり、
前記回路基板は、前記第一の縁辺を上、前記第二の縁辺を下にして、前記複数種類の電子部品を実装した面が視認可能となるように取り付けられるものである、
ことを特徴とする遊技台。
【請求項２】
請求項１記載の遊技台であって、
前記第二の仮想直線は、前記第一の仮想直線から前記第二の縁辺に向けて０．５ｍｍ〜２ｍｍ離隔して位置されたものである、
ことを特徴とする遊技台。
【発明の詳細な説明】
【技術分野】
【０００１】
本発明は、スロットマシン（パチスロ）、パチンコに代表される遊技台に関する。
【先行技術文献】
【特許文献】
【０００２】
【特許文献１】特開平１０−１５１９６号公報
【発明の概要】
【０００３】
本発明に係る遊技台は、第一の態様として、回路基板を備える遊技台であって、前記回路基板は、第一の電子部品を少なくとも備えるものとし、前記第一の電子部品は、第一の特定部、第二の特定部、および第三の特定部を少なくとも備えるものとし、前記第一の特定部、前記第二の特定部、および前記第三の特定部は、それぞれが同一機能を少なくとも備えるものとし、前記回路基板は、前記第一の特定部及び前記第二の特定部のそれぞれを、第一の向きに向けて少なくとも備えるものとし、前記回路基板は、前記第三の特定部を、前記第一の向きとは異なる第二の向きに向けて少なくとも備えるものとする。
【０００４】
また、本発明に係る遊技台は、第二の態様として、回路基板を備える遊技台であって、  前記回路基板は、第一の電子部品を少なくとも備えるものとし、前記第一の電子部品は、第一の特定部、第二の特定部、および第三の特定部を少なくとも備えるものとし、前記第一の特定部、前記第二の特定部、および前記第三の特定部は、それぞれが同一機能を少なくとも備えるものとし、前記回路基板は、前記第一の特定部および前記第二の特定部を、第一の長さで少なくとも備えるものとし、前記回路基板は、前記第三の特定部を、前記第一の長さと異なる第二の長さで少なくとも備えるものとする。
【０００５】
また、本発明に係る遊技台は、第三の態様として、回路基板を備える遊技台であって、前記回路基板は、第一の電子部品を少なくとも備えるものとし、前記第一の電子部品は、第一の特定部、第二の特定部、および第三の特定部を少なくとも備えるものとし、前記第一の特定部、前記第二の特定部、および前記第三の特定部は、それぞれが同一機能を少なくとも備えるものとし、前記回路基板は、前記第一の特定部および前記第二の特定部を、第一の塗布量のハンダで少なくとも固定するものとし、前記回路基板は、前記第三の特定部を、前記第一の塗布量と異なる第二の塗布量のハンダで少なくとも固定するものとする。
【０００６】
また、本発明に係る遊技台は、第四の態様として、回路基板を備える遊技台であって、前記回路基板は、複数の電子部品を少なくとも備えるものとし、前記回路基板は、前記複数の電子部品のうち、少なくとも一つの電子部品を、基板面に対して垂直から斜めに傾けて少なくとも備えるものとし、前記回路基板は、前記複数の電子部品のうち、前記少なくとも一つの電子部品を除く他の電子部品を、前記基板面に対して垂直に少なくとも備えるものとする。
【０００７】
また、本発明に係る遊技台は、第五の態様として、回路基板を備える遊技台であって、前記回路基板は、複数の電子部品を少なくとも備えるものとし、前記複数の電子部品は、第一の電子部品、第二の電子部品、第三の電子部品、および第四の電子部品を少なくとも備えるものとし、前記第一の電子部品、前記第二の電子部品、前記第三の電子部品、および第四の電子部品は、それぞれが同一機能を少なくとも備えるものとし、前記回路基板は、第一のシルク文字、第二のシルク文字、第三のシルク文字、および第四のシルク文字を少なくとも備えるものとし、前記第一のシルク文字は、前記第一の電子部品を識別する文字とし、前記第二のシルク文字は、前記第二の電子部品を識別する文字とし、前記第三のシルク文字は、前記第三の電子部品を識別する文字とし、前記第四のシルク文字は、前記第四の電子部品を識別する文字とし、前記回路基板は、前記第一のシルク文字、前記第二のシルク文字、前記第三のシルク文字、および前記第四のシルク文字を、仮想的に引かれた基準直線上に少なくとも備えるものとし、前記回路基板は、前記基準直線上において隣り合う二つのシルク文字間を、第一の間隔と、前記第一の間隔とは異なる間隔である第二の間隔として備えるものとし、前記回路基板は、前記第一の間隔を、複数備えるものとし、前記第二の間隔を、一つ備えるものとする。
【０００８】
また、本発明に係る遊技台は、第六の態様として、回路基板を備える遊技台であって、前記回路基板は、複数の電子部品を少なくとも備えるものとし、前記複数の電子部品は、第一の電子部品および第二の電子部品を少なくとも備えるものとし、前記第一の電子部品および第二の電子部品は、それぞれが同一機能を少なくとも備えるものとし、前記回路基板は、第一のシルク文字および第二のシルク文字を少なくとも備えるものとし、前記第一のシルク文字は、前記第一の電子部品を識別する文字とし、前記第二のシルク文字は、前記第二の電子部品を識別する文字とし、前記第一のシルク文字は、三つの文字を少なくとも備えるものとし、前記第一のシルク文字は、一つの文字間隔を第一の間隔とするものとし、前記第一のシルク文字は、他の文字間隔を前記第一の間隔とは異なる間隔である第二の間隔とするものとし、前記第二のシルク文字は、三つの文字を少なくとも備えるものとし、前記第二のシルク文字は、全ての文字間隔を前記第一の間隔とするものとする。
【０００９】
また、本発明に係る遊技台は、第七の態様として、回路基板を備える遊技台であって、前記回路基板は、複数のパターンを少なくとも備えるものとし、前記複数のパターンは、第一のパターンおよび第二のパターンを少なくとも備えるものとし、前記回路基板は、前記第一のパターンを、第一の角近傍に少なくとも備えるものとし、前記回路基板は、前記第二のパターンを、前記第一のパターンに隣接させて少なくとも備えるものとし、前記回路基板は、前記第一のパターンの第一の辺を、仮想的に引かれた基準直線から０．５ｍｍ〜２ｍｍずらして少なくとも備えるものとし、前記回路基板は、前記第二のパターンの第二の辺を、前記基準直線上に少なくとも備えるものとする。
【００１０】
また、本発明に係る遊技台は、第八の態様として、回路基板を備える遊技台であって、前記回路基板は、複数のパターンを少なくとも備えるものとし、前記複数のパターンは、第一のパターンおよび第二のパターンを少なくとも備えるものとし、前記回路基板は、前記第一のパターンを前記第二のパターンに隣接させて備えるものとし、前記回路基板は、会社名を備えるものとし、前記回路基板は、前記第一のパターンを、前記会社名の近傍に備えるものとし、前記回路基板は、前記第二のパターンを、前記会社名の近傍に備えるものとし、前記回路基板は、前記第一のパターンの第一の辺を、仮想的に引かれた基準直線上に備えるものとし、前記回路基板は、前記第二のパターンの第二の辺を、前記基準直線から０．５ｍｍ〜２ｍｍずらして備えるものとする。
【００１１】
また、本発明に係る遊技台は、第九の態様として、回路基板を備える遊技台であって、前記回路基板は、複数のパターンを少なくとも備えるものとし、前記複数のパターンは、第一のパターンおよび第二のパターンを少なくとも備えるものとし、前記回路基板は、前記第一のパターンを前記第二のパターンに隣接させて備えるものとし、前記回路基板は、前記第一のパターンの第一の辺および前記第二のパターンの第二の辺を、それぞれ、仮想的に引かれた基準直線上に少なくとも備えるものとし、前記第一のパターンの前記第一の辺は、凹部を少なくとも備えるものとし、前記回路基板は、前記凹部の底を、前記基準直線から０．５ｍｍ〜２ｍｍずらして少なくとも備えるものとする。
また、本発明に係る遊技台は、第十の態様として、複数種類の電子部品を実装した回路基板を備える遊技台であって、前記回路基板は、略矩形なものであり、前記回路基板は、前記略矩形の対向する一対の辺として、第一の縁辺と第二の縁辺を備え、前記回路基板は、前記第一の縁辺の近傍に第一のグランドパターンを備えるものであり、前記回路基板は、前記第一の縁辺の近傍に第二のグランドパターンを備えるものであり、前記第二のグランドパターンは、前記第一のグランドパターンに隣接しており、前記第一のグランドパターンの一縁は、前記第一の縁辺に沿う第一の仮想直線の上に位置されたものであり、前記第二のグランドパターンの一縁は、前記第一の縁辺に沿う第二の仮想直線の上に位置されたものであり、前記第二の仮想直線は、前記第一の仮想直線から前記第二の縁辺に向けて僅少離隔して位置されたものであり、前記回路基板は、前記複数種類の電子部品を実装した面に前記第一のグランドパターン及び前記第二のグランドパターンを形成するものであり、前記回路基板は、前記第一の縁辺を上、前記第二の縁辺を下にして、前記複数種類の電子部品を実装した面が視認可能となるように取り付けられるものである。
【図面の簡単な説明】
【００１２】
【図１】本発明の一実施形態に係るスロットマシンの外観を示す斜視図である。
【図２】本発明の一実施形態に係るスロットマシンの筐体内部の構成を示す斜視図である。
【図３】本発明の一実施形態に係るスロットマシンの主制御基板のグランドパターンを記した表面の外観図である。
【図４】本発明の一実施形態に係るスロットマシンの主制御基板の電子部品を実装している状態の表面の外観図である。
【図５】本発明の一実施形態に係るスロットマシンの主制御基板のグランドパターンに偽造判別規則を設けた場合の主制御基板の要図である。
【図６】本発明の一実施形態に係るスロットマシンの主制御基板のグランドパターンに偽造判別規則を設けた場合の主制御基板の要図である。
【図７】本発明の一実施形態に係るスロットマシンの主制御基板に実装される電子部品を識別するためのシルク文字に偽造判別規則を設けた場合の主制御基板の要図である。
【図８】本発明の一実施形態に係るスロットマシンの主制御基板に実装される電子部品に偽造判別規則を設けた場合の主制御基板の要図である。
【図９】本発明の一実施形態に係るスロットマシンの主制御基板を筐体内部に取り付ける方法を示す図である。
【図１０】本発明の一実施形態に係るスロットマシンの主制御基板に偽造判別規則を形成する偽造判別情報出力装置の概要を示す図である。
【図１１】本発明の一実施形態に係るスロットマシンの制御部の回路構成を示すブロック図である。
【図１２】本発明の一実施形態に係るスロットマシンの主制御部メイン処理を示すフローチャートである。
【図１３】本発明の一実施形態に係るスロットマシンの主制御基板の裏面に偽造判別規則を設けた場合の主制御基板の要図である。
【発明を実施するための形態】
【００１３】
図１は、本発明の一実施形態に係るスロットマシン１００の外観斜視図である。スロットマシン１００は、メダルの投入により遊技が開始され、遊技の結果によりメダルが払い出されるものである。
＜全体構成＞
スロットマシン１００の本体１０１の中央内部には、外周面に複数種類の図柄（「７」、「リプレイ」、「俵」等：図示省略）が配置されたリールが３個（左リール１１０、中リール１１１、右リール１１２）収納され、スロットマシン１００の内部で回転できるように構成されている。本実施形態において、各図柄は帯状部材に等間隔で適当数印刷され、この帯状部材が所定の円形枠材に貼り付けられて各リール１１０〜１１２が構成されている。リール１１０〜１１２上の図柄は、遊技者から見ると、図柄表示窓１１３から縦方向に概ね３つ表示され、合計９つの図柄が見えるようになっている。そして、各リール１１０〜１１２を回転させることにより、遊技者から見える図柄の組合せが変動することとなる。なお、本実施形態では、３個のリールをスロットマシン１００の中央内部に備えているが、リールの数やリールの設置位置はこれに限定されるものではない。
【００１４】
また、各々のリール１１０〜１１２の背面には、図柄表示窓１１３に表示される個々の図柄を照明するためのバックライト（図示省略）が配置されている。バックライトは、各々の図柄ごとに遮蔽されて個々の図柄を均等に照射できるようにすることが望ましい。
【００１５】
なお、スロットマシン１００内部において各々のリール１１０〜１１２の近傍には、投光部と受光部からなる光学式センサ（図示省略）が設けられており、この光学式センサの投光部と受光部のあいだを、リールに設けられた一定の長さの遮光片が通過するように構成されている。このセンサの検出結果に基づいてリール上の図柄の回転方向の位置を判断し、目的とする図柄が入賞ライン１１４上に表示されるようにリール１１０〜１１２を停止させる。
【００１６】
入賞ライン表示ランプ１２０は、有効となる入賞ライン１１４を示すランプである。有効となる入賞ラインは、スロットマシン１００に投入されたメダルの数によって予め定まっている。５本の入賞ライン１１４のうち、例えば、メダルが１枚投入された場合、中段水平入賞ラインが有効となり、メダルが２枚投入された場合、上段水平入賞ラインと下段水平入賞ラインが追加された３本が有効となり、メダルが３枚投入された場合、右下り入賞ラインと右上り入賞ラインが追加された５本が入賞ラインとして有効になる。なお、入賞ライン１１４の数については５本に限定されるものではない。
【００１７】
告知ランプ１２１は、後述する内部抽選において、特定の入賞役（例えば、ボーナス）に内部当選していることを遊技者に知らせるランプである。スタートランプ１２２は、リール１１０〜１１２が回転することができる状態にあることを遊技者に知らせるランプである。再遊技ランプ１２３は、前回の遊技において入賞役の一つである再遊技役に入賞した場合に、今回の遊技が再遊技可能であること（メダルの投入が不要）を遊技者に知らせるランプである。メダル投入ランプ１２４は、メダルの投入が可能であることを知らせるランプである。リールパネルランプ１２５は、演出用のランプである。
【００１８】
貯留枚数表示器１２６は、スロットマシン１００に電子的に貯留されているメダルの枚数を表示するための表示器である。表示器１２７は、各種の内部情報を数値で表示するための表示器である（例えば、メダル投入時のエラー表示や、ビッグボーナスゲーム中（ＢＢ遊技中）の遊技回数、所定の入賞役の入賞回数等を表示する）。払出枚数表示器１２８は、何らかの入賞役に入賞した結果、遊技者に払出されるメダルの枚数を表示するための表示器である。
【００１９】
メダル投入ボタン１３０、１３１は、スロットマシン１００に電子的に貯留されているメダルを所定の枚数分投入するためのボタンである。本実施形態においては、メダル投入ボタン１３０が押下される毎に１枚ずつ最大３枚まで投入され、メダル投入ボタン１３１が押下されると３枚投入されるようになっている。メダル投入口１３４は、遊技を開始するに当たって遊技者がメダルを投入するための投入口である。すなわち、メダルの投入は、メダル投入ボタン１３０又は１３１により電子的に投入することもできるし、メダル投入口１３４から実際のメダルを投入することもでき、投入とは両者を含む意味である。
【００２０】
精算ボタン１３２は、スロットマシン１００に電子的に貯留されたメダル、ベットされたメダルを精算し、メダル払出口１５５よりメダル受皿１５６に排出するためのボタンである。メダル返却ボタン１３３は、投入されたメダルが詰まった場合に押下してメダルを取り除くためのボタンである。
【００２１】
スタートレバー１３５は、遊技の開始操作を行うためのレバー型のスイッチである。すなわち、メダル投入口１３４に所望するメダル枚数を投入するか、メダル投入ボタン１３０、１３１を操作して、スタートレバー１３５を操作すると、これを契機としてリール１１０〜１１２が回転を開始し、遊技が開始される。ストップボタンユニット１３６には、ストップボタン１３７、１３８、１３９が設けられている。ストップボタン１３７、１３８、１３９は、スタートレバー１３５の操作によって回転を開始したリール１１０〜１１２を個別に停止させるためのボタン型のスイッチである。なお、各ストップボタン１３７、１３８、１３９の内部に発光体を設けてもよく、ストップボタン１３７、１３８、１３９の操作が可能である場合、該発光体を点灯させて遊技者に知らせることもできる。
【００２２】
ドアキー１４０は、スロットマシン１００の前面扉１０２のロックを解除するためのキーを挿入する孔である。メダル払出口１５５は、メダルを払出すための払出口である。メダル受皿１５６は、メダル払出口１５５から払出されたメダルを溜めるための器である。なお、メダル受皿１５６は、本実施形態では発光可能な受皿を採用しており、以下受け皿ランプ１５６と呼ぶこともある。
【００２３】
音孔１６０はスロットマシン１００内部に設けられているスピーカの音を外部に出力するための孔である。上部ランプ１５０、サイドランプ１５１、中央ランプ１５２、腰部ランプ１５３、下部ランプ１５４、受皿ランプ１５６は、遊技を盛り上げるための装飾用のランプであり、遊技状態に応じて点灯／消灯／点滅する。タイトルパネル１６２はそのスロットマシンの機種名や各種のデザインが描かれるパネルである。
【００２４】
液晶表示装置（ＬＣＤ）１５７は、遊技に関する各種の情報を表示することができる（例えば、ゲームを盛り上げるためのキャラクター等を登場させたり、リーチ目等を表示させたり、スロットマシンの内部で異常が発生したときのエラーの内容を表示させたりする）。もちろん、液晶表示装置１５７のかわりに、複数のＬＥＤを２次元に配置したドットマトリックス式表示装置等、他の表示手段を用いてもよい。
【００２５】
扉装置１６３は、液晶表示装置１５７の左右それぞれに設けられた１対の扉であり、液晶表示装置１５７の演出に合わせて、扉を開閉させて、演出を行うようになっている。
＜本体内部構造＞
次に、図２を参照してスロットマシン１００の筐体内部の構成を、制御部を中心に説明する。ここで、図２は、前面扉１０２を開いた状態におけるスロットマシン１００の外観斜視図である。
【００２６】
本体１０２の内部における背面上部（リール１１０〜１１２を支持するリールユニット上方となる部位）には、主制御基板２１０が配設されている。主制御基板２１０は、スロットマシン１００の主要部分の制御（遊技の進行に関する制御）を行う制御基板であり、本実施形態においては、不正基板判定用の識別情報を備えた制御基板となっている。この主制御基板２１０の不正基板判定用の識別情報に関しては、詳しくは後述する。なお、主制御基板２１０は、透明な樹脂ケースからなる基板収納ケース２４０内に収納されて、筐体内部に配置されている。
【００２７】
また、本体１０１の側面上部には、副制御基板２２０が配設されている。副制御基板２２０は、スロットマシン１００の主要部分以外の補助的部分の制御（演出に関する制御）を行う制御基板である。また、前面扉１０２の背面上方（ＬＣＤ１５７が配置されている位置後方）には、表示制御基板２３０が配設されている。表示制御基板２３０は、主としてＬＣＤ１５７を制御する制御基板である。
＜主制御基板＞
図３及び図４は、主制御基板２１０の表面の外観図である。なお、本実施形態において表面とは、電子部品が実装される側の片面をいい（実装面ともいう）、裏面とは、電子部品が実装されていない側の片面をいう（ハンダが露出しているのでハンダ面ともいう）。詳しくは、図３は、電子部品を実装していない状態の主制御基板２１０の表面の外観図であり、基板上に形成されたグランドパターン２１１を表記した外観図である。また、図４は、電子部品を実装した状態の主制御基板２１０の表面の外観図であり、グランドパターン２１１は省略された外観図である。なお、図３及び図４に示すように、主制御基板２１０の表面の右上端部には、会社名２１２が記載されている（図示していないが、裏面にも会社名２１２は記載されている）。
【００２８】
本実施形態の主制御基板２１０は、上述したように、不正基板判定用の識別情報を表面に備えている。ここで、不正基板判定用の識別情報を備えた主制御基板２１０とは、予め定めた偽造判別規則を、基板または基板に実装される電子部品に形成している主制御基板２１０をいう。すなわち、偽造判別規則を施された主制御基板２１０と、偽造判別規則を施されていない主制御基板では、主制御基板上の実装規則が異なっている。そして、偽造判別規則は、回路基板を設計する場合に生じる誤差と判定され得るような規則であり、視覚的に目立つものではないので、当該偽造判別規則を認識している人が見れば、正規基板（主制御基板２１０）と不正基板（例えば、主制御基板２１０を模して作られた不正基板）の判別は容易である一方、当該偽造判別規則を認識していない人が見ても、両制御基板の差異を見つけることが困難になっている。
【００２９】
本実施形態の主制御基板２１０に施される偽造判別規則には、種々のパターンが存在するので、以下、それぞれのパターンについて具体的に説明する。なお、第１実施例から第５実施例は、主制御基板２１０のグランドパターン２１１に偽造判別規則を設けた実施例であり、第６実施例から第９実施例は、主制御基板２１０に実装される電子部品又は当該電子部品を識別するためのシルク文字に偽造判別規則を設けた実施例である。また、以下においては、各実施例の主制御基板をそれぞれ主制御基板２１０Ａ、Ｂ、…のように表記し、各実施例の主制御基板２１０Ａ、Ｂ、…を総称するときは主制御基板２１０と表記する。
（第１実施例）
図５（ａ）は、第１実施例の偽造判別規則を備えた主制御基板２１０Ａの要部図である。図５（ａ）は、会社名称２１２近傍のグランドパターン２１１の形状を示しており、詳しくは、３つのグランドパターンＧ１、Ｇ２及びＧ３の配置位置を示している。
【００３０】
図５（ａ）に示すように、グランドパターンＧ１は、隣接する他のグランドパターンＧ２及びＧ３と比べて、下方向に僅かにずれて配置されている。すなわち、グランドパターンＧ２及びＧ３は、その上縁が通常配置される基準直線Ｌ１上に配置される一方、グランドパターンＧ１は、その上縁が基準直線Ｌ１よりも僅かにずれて下方に位置する偽造回路基板識別直線Ｌ２上に配置されている。ここで、基準直線Ｌ１と偽造回路基板識別直線Ｌ２の上下方向の差異は、肉眼で視認可能であるが、一見してずれが明らかであるとは判別できない程度の距離が望ましく、０．５ｍｍから２ｍｍぐらいが好適である。ずれが明らかであると判別できる程度の距離を設定した場合、不正基板を作る者がずれに気付いてしまい、これと同様の不正基板を製作してしまう可能性があるからである。なお、基準直線Ｌ１及び偽造回路基板識別直線Ｌ２は、仮想的に引いた直線であり、実際に基板上に記されているわけではない。また、実施例１では、基準直線Ｌ１及び偽造回路基板識別直線Ｌ２を主制御基板２１０Ａ上の外縁近くに設けたが、これにより、ずれの判別が容易になる（主制御基板２１０Ａ上の内側に設けた場合、他の部品等の配置により何れの箇所に偽造判別規則があるのか視認困難になる可能性がある）。
【００３１】
このように、第１実施例においては、一のグランドパターンＧ１の配置を他のグランドパターンＧ２及びＧ３の配置と異ならせて、主制御基板２１０Ａ上に偽造判別規則を形成している。すなわち、第１実施例においては、偽造判別規則をグランドパターン２１１の配置規則としている。なお、偽造判別規則が施されていない主制御基板においては、グランドパターンＧ１、Ｇ２及びＧ３は、その上縁が基準直線に一致した状態に配置され、各グランドパターンの間に上下方向のずれは生じていない。
【００３２】
したがって、第１実施例によれば、偽造判別の確認を行う人は、主制御基板２１０Ａのグランドパターン２１１の配置上のずれを視認することによって、主制御基板２１０Ａが正規基板であるか不正基板であるかを判別することができる。一方、偽造判別規則を知らない第三者（例えば、不正基板を作り、正規基板を不正基板に交換しようとする者）は、主制御基板２１０Ａのグランドパターン２１１の配置上のずれに気付かないので、偽造判別規則を施した主制御基板２１０Ａを模して作成することはできない。なお、第三者が作成した偽造回路基板が、偶然、上述したグランドパターンＧ１の僅少なずれを形成した主制御基板２１０Ａと同じ構成になる可能性も僅かに考え得るが、本実施例では、その可能性よりも、不正をする第三者がグランドパターンＧ１の僅少なずれに気付かれない可能性の方が遙かに高いと考えられる。
【００３３】
また、第１実施例では、会社名２１２（主制御基板２１０Ａの基板上で最も大きな識別文字）近傍のグランドパターン２１１に偽造判別規則を形成しているので、偽造判別の確認を行う人は、主制御基板２１０Ａの基板上で目立つ会社名２１２近傍だけを視認すればよく、偽造判別規則を見つけることが容易となっている。
（第２実施例）
図５（ｂ）は、第２実施例の偽造判別規則を備えた主制御基板２１０Ｂの要部図である。図５（ｂ）は、会社名称２１２近傍のグランドパターン２１１の形状を示しており、詳しくは、３つのグランドパターンＧ１、Ｇ２及びＧ３の配置位置を示している。
【００３４】
図５（ｂ）に示すように、グランドパターンＧ１、Ｇ２及びＧ３は、その上縁が一致して配置されているが、グランドパターンＧ１の上縁の一部には内側に凹んだ段差部２１３が形成されている。ここで、段差部２１３の凹み（凹んだ段差部２１３の凹底）は、第１実施例と同様に、肉眼で視認可能であるが、一見してずれが明らかであるとは判別できない程度の距離が望ましく、０．５ｍｍから２ｍｍぐらいが好適である。すなわち、グランドパターンＧ２及びＧ３は、その上縁が通常配置される基準直線Ｌ１（図５（ｂ）には図示せず。図５（ａ）参照）上に配置される一方、グランドパターンＧ１の段差部２１３の底辺が基準直線Ｌ１よりも僅かにずれて下方に位置する偽造回路基板識別直線Ｌ２上（図５（ｂ）には図示せず。図５（ａ）参照）に配置されている。
【００３５】
このように、第２実施例においては、一のグランドパターンＧ１の外形に段差を設けることにより、一のグランドパターンＧ１の配置を他のグランドパターンＧ２及びＧ３の配置と異ならせて、主制御基板２１０Ｂ上に偽造判別規則を形成している。すなわち、第２実施例においても、偽造判別規則をグランドパターンの配置規則としている。なお、偽造判別規則が施されていない主制御基板においては、グランドパターンＧ１の上縁の一部には段差部２１３は形成されていないため、グランドパターンＧ１、Ｇ２及びＧ３は、その上縁が基準直線に一致した状態で配置されている。
【００３６】
したがって、第２実施例によれば、偽造判別の確認を行う人は、主制御基板２１０Ｂのグランドパターン２１１の配置上のずれ（へこみ）を視認することによって、主制御基板２１０Ｂが正規基板であるか不正基板であるかを判別することができる。一方、偽造判別規則を知らない第三者（例えば、不正基板を作り、正規基板を不正基板に交換しようとする者）は、主制御基板２１０Ｂのグランドパターン２１１の配置上のずれに気付かないので、偽造判別規則を施した主制御基板２１０Ｂを模して作成することはできない。
【００３７】
また、第２実施例では、会社名２１２近傍のグランドパターン２１１に偽造判別規則を形成しているので、偽造判別の確認を行う人は、主制御基板２１０Ｂの基板上で目立つ会社名２１２近傍だけを視認すればよく、偽造判別規則を見つけることが容易となっている。
【００３８】
さらには、第２実施例では、予め設けた段差部２１３を有するグランドパターンＧ１を用いて偽造判別規則を形成するので、偶然性は確実に排除される。すなわち、第１実施例では、確率は低いが意図せず偶然、図５（ａ）に示す偽造判別規則が形成されることがあり得るが、第２実施例ではこのような偶然性は確実に排除される。
（第３実施例）
図６（ａ）は、第３実施例の偽造判別規則を備えた主制御基板２１０Ｃの要部図である。図６（ａ）は、会社名称２１２近傍のグランドパターン２１１の形状を示しており、詳しくは、２つのグランドパターンＧ１及びＧ２の配置位置を示している。
【００３９】
図６（ａ）に示すように、グランドパターンＧ１は、隣接する他のグランドパターンＧ２と比べて、下方向に僅かにずれて配置されている。すなわち、グランドパターンＧ２は、その上縁が通常配置される基準直線Ｌ１上に配置される一方、グランドパターンＧ１は、その上縁が基準直線Ｌ１よりも僅かにずれて下方に位置する偽造回路基板識別直線Ｌ２上に配置されている。ここで、基準直線Ｌ１と偽造回路基板識別直線Ｌ２の上下方向の差異の寸法は、第１実施例と同一であるため、説明を省略する。
【００４０】
このように、第３実施例においては、一のグランドパターンＧ１の配置をもう一つのグランドパターンＧ２の配置と異ならせて、主制御基板２１０Ｃ上に偽造判別規則を形成している。すなわち、２つのグランドパターンＧ１及びＧ２が隣接する状態において、１つのグランドパターンＧ１が別の１つのグランドパターンＧ２と異なる配置として偽造判別規則を形成するようにしてもよい。なお、偽造判別規則を形成しない主制御基板においては、グランドパターンＧ１及びＧ２は、その上縁が基準直線に一致した状態で配置され、２つのグランドパターンＧ１及びＧ２には上下方向のずれは生じていない。
【００４１】
したがって、第３実施例によれば、第１実施例と同様に、偽造判別の確認を行う人は、主制御基板２１０Ｃの会社名２１２近傍のグランドパターン２１１の配置上のずれを視認することによって、主制御基板２１０Ｃが正規基板であるか不正基板であるかを簡単に判別することができる。また、第１実施例と同様に、偽造判別規則を知らない第三者は、主制御基板２１０Ｃのグランドパターン２１１の配置上のずれに気付かないので、偽造判別規則を施した主制御基板２１０Ｃを模して作成することはできない。
（第４実施例）
図６（ｂ）は、第４実施例の偽造判別規則を備えた主制御基板２１０Ｄの要部図である。図６（ｂ）は、回路基板の四隅のうちのひとつの角（左上の角）近傍のグランドパターン２１１の形状を示しており、詳しくは、２つのグランドパターンＧ１及びＧ２の配置位置を示している。
【００４２】
図６（ｂ）に示すグランドパターンＧ１は、図６（ａ）に示すグランドパターンＧ１と同一である。すなわち、グランドパターンＧ１は隣接する他のグランドパターンＧ２と比べて、下方向に僅かにずれて配置されており、そのずれも弟３実施例と同一である。
【００４３】
このように、第４実施例においては、一のグランドパターンＧ１の配置をもう一つのグランドパターンＧ２の配置と異ならせて、主制御基板２１０Ｄ上に偽造判別規則を形成している。
【００４４】
すなわち、第４実施例は、第３実施例において会社名称２１２近傍に形成された偽造判別規則を回路基板の四隅近傍に形成した点が第３実施例と異なるだけで、他は第３実施例と同一である。この場合においても、偽造判別の確認を行う人は、主制御基板２１０Ｄの基板上で目立つ四隅近傍だけを視認すればよいので、偽造判別規則を容易に発見でき、主制御基板２１０Ｄが正規基板であるか不正基板であるかを簡単に判別することができる。
（第５実施例）
図６（ｃ）は、第５実施例の偽造判別規則を備えた主制御基板２１０Ｅの要部図である。図６（ｃ）は、ヒートシンク２１５近傍のグランドパターン２１１の形状を示しており、詳しくは、２つのグランドパターンＧ１及びＧ２の配置位置を示している。
【００４５】
図６（ｃ）に示すグランドパターンＧ１は、図６（ａ）に示すグランドパターンＧ１と同一である。すなわち、グランドパターンＧ１は隣接する他のグランドパターンＧ２と比べて、下方向に僅かにずれて配置されており、そのずれも弟３実施例と同一である。
【００４６】
このように、第５実施例においては、基板上で目立つ電子部品であるヒートシンク２１５近傍の一のグランドパターンＧ１の配置を、隣接する他のグランドパターンＧ２の配置と異ならせて、主制御基板２１０Ｅ上に偽造判別規則を形成している。
【００４７】
すなわち、第５実施例は、第３実施例において会社名称２１２近傍に形成された偽造判別規則を、目立つ電子部品であるヒートシンク２１５近傍に形成した点が第３実施例と異なるだけで、他は第３実施例と同一である。この場合においても、偽造判別の確認を行う人は、主制御基板２１０の基板上で目立つヒートシンク２１５近傍だけを視認すればよいので、偽造判別規則を容易に発見でき、主制御基板２１０Ｅが正規基板であるか不正基板であるかを簡単に判別することができる。
【００４８】
なお、本実施例では、偽造判別規則をヒートシンク２１５近傍のグランドパターンＧ１に形成したが、視覚的に目立つ電子部品であるならば、ヒートシンク２１５以外の電子部品の近傍のグランドパターンに偽造判別規則を形成してもよい。ここで、視覚的に目立つ電子部品とは、大きさや色などの外観が他の電子部品に比べて際立っており、一見して存在を認識できる電子部品をいう。なお、ヒートシンク２１５は、主制御基板２１０Ｅ上では最も大きな電子部品である。
（第６実施例）
図７（ａ）は、第６実施例の偽造判別規則を備えた主制御基板２１０Ｆの要部図である。図７（ａ）は、主制御基板２１０Ｆの基板上に実装される電子部品２１６（例えば、抵抗）、及び当該電子部品２１６を説明するシルク文字２１７の配置位置を示している。なお、図７（ａ）は、複数の同一機能を有する電子部品２１６（例えば、抵抗）が上下方向に並んで配設され、当該複数の電子部品２１６に対応するシルク文字２１７がそれぞれ電子部品２１６の右側に表示されている場合を示している。
【００４９】
図７（ａ）に示すように、複数の電子部品２１６は、上下方向に等間隔で配置されているが、当該電子部品２１６に対応付けられたシルク文字２１７は、上下方向に一部、非等間隔で配置されている。具体的には、シルク文字「Ｒ１７」とシルク文字「Ｒ１８」の間の上下方向の間隔ｄ２は、他のシルク文字間の上下方向の間隔ｄ１よりも広くなって配置されている（したがって、シルク文字「Ｒ１６」とシルク文字「Ｒ１７」の間の上下方向の間隔ｄ３は、他のシルク文字間の上下方向の間隔ｄ１よりも狭くなって配置されている）。
【００５０】
このように、第６実施例においては、複数の同一機能を有する電子部品２１６を配設して、基板上で目立つようになっている当該電子部品群の近傍の特定のシルク文字２１７の上下方向の配置を他のシルク文字２１７の上下方向の配置と異ならせて、主制御基板２１０Ｆ上に偽造判別規則を形成している。すなわち、第６実施例においては、偽造判別規則をシルク文字２１７の配置規則としている。なお、偽造判別規則を形成しない主制御基板においては、シルク文字列は、上下方向に等間隔ｄ１で配置されている。
【００５１】
したがって、第６実施例によれば、偽造判別の確認を行う人は、主制御基板２１０Ｆの電子部品２１６の右側に記されたシルク文字２１７の上下方向の配置上のずれを視認することによって、主制御基板２１０Ｆが正規基板であるか不正基板であるかを簡単に判別することができる。一方、偽造判別規則を知らない第三者は、主制御基板２１０Ｆのシルク文字２１７の上下方向の配置上のずれに気付かないので、偽造判別規則を施した主制御基板２１０Ｆを模して作成することはできない。
【００５２】
また、第６実施例では、複数の同一機能を有する電子部品２１６が配設されている部位に偽造判別規則を形成しているので、偽造判別の確認を行う人は、主制御基板２１０Ｆの基板上で目立つ電子部品２１６近傍だけを視認すればよく、偽造判別規則を見つけることが容易となっている。
【００５３】
なお、本実施例では、シルク文字「Ｒ１６」とシルク文字「Ｒ１７」の間の上下方向の間隔を通常よりも狭くしたが、より狭くして、シルク文字「Ｒ１６」とシルク文字「Ｒ１７」の一部が重なるように配置してもよい。
【００５４】
また、本実施例では、電子部品の右側に電子部品に対応するシルク文字列２１７を配置した場合について説明したが、シルク文字列２１７の配置位置はこれに限定されず、電子部品２１６の近傍に当該電子部品２１６に対応付けられて配置されるのであればいずれの位置であってもよい。
【００５５】
さらには、シルク文字列２１７の配置規則を偽造判別規則とする場合には、種々の変形例が考えられる。図７（ｂ）に第６実施例の変形例について示す。
【００５６】
図７（ｂ）に示すシルク文字２１７ａは、１つのシルク文字列「Ｒ２０」内に偽造判別規則を形成している。すなわち、シルク文字「Ｒ２０」では、「０」の配置位置が通常よりも右側にずれているため、「２」と「０」の間の文字間隔ｄ２が通常の文字間隔ｄ１よりも広くなっている。また、シルク文字「Ｒ２０」では、「０」の後に句読点２１８ａ「．」が付加されている。
【００５７】
また、図７（ｂ）に示すシルク文字２１７ｂも、１つのシルク文字列「Ｒ１９」内に偽造判別規則を形成している。すなわち、シルク文字「Ｒ１９」では、「Ｒ」の配置位置が通常よりも右側にずれているため、「Ｒ」と「１」の間の文字間隔ｄ３が通常の文字間隔ｄ１よりも狭くなっている。また、シルク文字「Ｒ１９」では、「１」のフォントだけが異なって印字されている（図７（ｂ）に示すシルク文字２１７ｂの「１」と図７（ａ）に示すシルク文字の「１」を参照）。
【００５８】
なお、このシルク文字「Ｒ１９」の「１」は、図７（ｂ）に示すように、通常のフォントの「１」を印字した後（シルク文字「Ｒ１９」を印字した後）に、別の工程で追加部分２１８ｂを「１」の部分に重ねて印字して、「１」のフォントだけを異なるようにしてもよい。すなわち、最初はすべて同一の共通フォントでシルク文字を印字した後、特定のシルク文字に対してだけ、追加マークを重ねて印字した結果、特定のシルク文字のフォントが異なるようにしてもよい。勿論、これとは別に１回の工程でシルク文字２１７ｂを印字するようにしてもよい。
【００５９】
このように、第６実施例の変形例においては、複数の同一機能を有する電子部品２１６を配設して、基板上で目立つようになっている部位の近傍の特定のシルク文字２１７ａ及び２１７ｂのシルク文字内の配置を、他のシルク文字２１７のシルク文字内の配置と異ならせて、主制御基板２１０Ｆ上に偽造判別規則を形成している。すなわち、第６実施例の変形例においても、偽造判別規則をシルク文字２１７ａ及び２１７ｂの配置規則としている。
【００６０】
したがって、第６実施例の変形例によれば、偽造判別の確認を行う人は、主制御基板２１０Ｆの電子部品２１６の右側に記されたシルク文字２１７ａ及び２１７ｂのシルク文字列内の配置上のずれを視認することによって、主制御基板２１０Ｆが正規基板であるか不正基板であるかを簡単に判別することができる。
（第７実施例）
図８（ａ）は、第７実施例の偽造判別規則を備えた主制御基板２１０Ｇの要部図である。図８（ａ）は、主制御基板２１０の基板上に実装される電子部品２１６（例えば、抵抗）の配置位置を示している。なお、図８（ａ）は、複数の同一機能を有する電子部品２１６（例えば、抵抗）が上下方向に２列に並んで配置されている場合を示している。
【００６１】
第７実施例においては、図８（ａ）に示すように、複数の電子部品２１６のうち、一部の電子部品２１６には、抵抗値（カラーコード）ａに加えて、偽造判別用マークｂが付加されている。
【００６２】
このように、第７実施例においては、複数の同一機能を有する電子部品２１６を配設して、基板上で目立つようになっている部位において、一部の電子部品２１６に偽造判別用マークｂを付加し、他の電子部品２１６と外観上異ならせて、主制御基板２１０Ｇに偽造判別規則を形成している。すなわち、第７実施例においては、偽造判別規則を電子部品２１６に記載されたマークとしている。なお、偽造判別規則を形成しない主制御基板においては、複数の電子部品２１６のいずれにも偽造判別用マークｂは記載されていない。
【００６３】
したがって、第８実施例によれば、偽造判別の確認を行う人は、主制御基板２１０Ｇの電子部品２１６に記載された偽造判別用マークｂの有無を視認することによって、主制御基板２１０が正規基板であるか不正基板であるかを簡単に判別することができる。一方、偽造判別規則を知らない第三者は、主制御基板２１０Ｇの電子部品２１６に記載された偽造判別用マークｂの存在に気付かないので、偽造判別規則を施した主制御基板２１０Ｇを模して作成することはできない。
（第８実施例）
図８（ｂ）は、第８実施例の偽造判別規則を備えた主制御基板２１０Ｈの要部図である。図８（ｂ）は、主制御基板２１０Ｈの基板上に実装される電子部品２１９（例えば、ＲＯＭなどのＩＣ）の配置位置を示している。
【００６４】
図８（ｂ）に示すように、複数の電子部品２１９を複数メーカーの部品で混在させる場合には、例えば、Ａ社製の電子部品２１９ａに関しては、左側に切り欠き部２２１が形成されるようにして配置し、また、Ｂ社製の電子部品２１９ｂに関しては、右側に切り欠き部２２１が形成されるようにして配置する。
【００６５】
このように、第８実施例においては、一の電子部品２１９ａの配置を他の電子部品２１９ｂの配置と異ならせて、主制御基板２１０Ｈに実装される電子部品２１９の配置向きに偽造判別規則を形成している。なお、偽造判別規則を形成しない主制御基板においては、Ａ社製の電子部品２１９ａ、Ｂ社製の電子部品２１９ｂはともに同じ方向に切り欠き部２２１を向けて配置されている。
【００６６】
したがって、第８実施例によれば、偽造判別の確認を行う人は、主制御基板２１０Ｇの電子部品２１９の配置向きを視認することによって、主制御基板２１０Ｇが正規基板であるか不正基板であるかを簡単に判別することができる。
（第９実施例）
図８（ｃ）は、第９実施例の偽造判別規則を備えた主制御基板２１０Ｉの要部図である。図８（ｃ）は、主制御基板２１０Ｉの基板上に実装される電子部品２２２（例えば、コンデンサ）の設置向きを示している。
【００６７】
図８（ｃ）に示すように、電子部品２２２は基板に対して垂直からやや斜めに傾いて配設されている。すなわち、第９実施例においては、主制御基板２１０Ｉに実装される電子部品２２２の設置向きに偽造判別規則を形成している。なお、偽造判別規則を形成しない主制御基板においては、電子部品２２２は基板に対して垂直に立設されている。
【００６８】
したがって、第９実施例によれば、偽造判別の確認を行う人は、主制御基板２１０Ｉの電子部品２２２の設置向きを視認することによって、主制御基板２１０Ｉが正規基板であるか不正基板であるかを簡単に判別することができる。
【００６９】
なお、図８（ｃ）においては、１つの電子部品２２２を垂直からやや斜めに傾けて配設する例について説明したが、斜めに傾けて配設する電子部品２２２の数は１つに限定されず、複数であってもよい。また、斜めに傾ける方向についても、所定の規則を設けてもよい。例えば、基板の下縁に向かって傾けるようにしてもよいし、上下方向に複数の電子部品２２２を傾ける場合には、基板の上縁、下縁と順次交互に一定の方向に傾けるようにしてもよい。
＜基板収納ケース＞
次に、図９を参照して、上述した各実施例の偽造判別規則を備えた主制御基板２１０をスロットマシン１００の筐体内部に取り付ける方法について説明する。
【００７０】
主制御基板２１０は、図９（ａ）に示すように、基板収納ケース２４０に収納されて、筐体内部に設置される。すなわち、基板収納ケース２４０は、図９（ｂ）に示すように、前面カバー２５０と、背面カバー２６０と、主制御基板２１０と、を備えている。基板収納ケース２４０の前面カバー２５０及び背面カバー２６０は、本実施形態では透光性樹脂を用いて成型されているため、基板収納ケース２４０の外部から内部に収納されている主制御基板２１０は視認可能となっている。
【００７１】
基板収納ケース２４０は、図９（ｂ）に示すように、前面カバー１０と背面カバー２０を組み合わせることで内部に主制御基板２１０を収納する１つの箱体を形成するので、この組み合わせた状態で、図９（ａ）に示すように、基板収納ケース２４０はリールユニット上方の背面上に設置される。この際、基板収納ケース２４０は前面カバー２５０を前面側に向けた状態、すなわち、前面扉１０２を開けた場合に、前面カバー２５０を視認可能となるような状態で設置される。
【００７２】
そして、本実施形態では、上述したように、主制御基板２１０の表面が偽造判別規則を備えているので、前面扉１０２を開けた状態においては、偽造判別規則は外部から視認可能となっている。すなわち、本実施形態では、主制御基板２１０は表面に偽造判別規則を備えるとともに、前面カバー２５０を透光性樹脂としているので、偽造判別の確認を行う人は、外部から容易に主制御基板２１０上の偽造判別規則を視認することができる。
【００７３】
また、本実施形態では、図９（ｂ）に示すように、少なくとも、前面カバー２５０の偽造判別規則を視認可能な位置Ａ’（主制御基板２１０の偽造判別規則を覆う位置であって、主制御基板２１０に備えた偽造判別規則の直上または直上近傍に位置にする前面カバー位置）を平滑形状としている。前面カバー２５０の位置Ａ’を平滑な形状としたのは、凹凸が形成されていると、前面カバー２５０を介した主制御基板２１０の偽造判別規則の視認が困難となるためである。
【００７４】
なお、視認位置をより明確にするために、前面カバー２５０の位置Ａ’近傍に目印を付加するようにしてもよい。ここで、目印とは、例えば、シルク文字「Ｒ１７」を主制御基板２１０に印字した場合には、このシルク文字「Ｒ１７」の直上に位置する前面カバー２５０に「Ｒ１７」を成型文字として付加するように、同じ意味の情報であって、この同じ意味の情報を主制御基板２１０と、前面カバー２５０との両者に付加するようにしてもよい。この場合には、偽造判別の確認を行う人は、前面カバー２５０の目印位置を探して、前面カバー２５０に該当する目印があった場合であって主制御基板２１０に該当する目印がなかった場合に、主制御基板２１０が不正基板であると判別できる。
＜偽造判別情報設定装置＞
図１０は、実施例６においてシルク文字に偽造判別規則を形成する偽造判別情報出力装置２７０の概要を説明する図である。すなわち、図１０（ａ）に示すように、本実施形態の偽造判別情報出力装置２７０は、主制御基板２１０の製造工程において、偽造判別規則を形成するシルク文字２１７を主制御基板２１０の基板に対して印字するようになっている。そして、図１０（ｂ）に示すように、本実施形態の偽造判別情報出力装置２７０は、入力設定画面２７１において、いずれの部位にどのような偽造判別規則を形成するかを設定できるようになっている。例えば、図７（ａ）に示した具体例の場合には、複数の電子機器が配置されている部位（電子部品２１６が配設されている部位）を選択し、かつ、この複数の電子機器のうち、文字間隔を広くする位置（シルク文字「Ｒ１７」と「Ｒ１８」の間）と通常よりもどのくらい広くするかの値などの詳細設定を設定する。この結果、図７（ａ）に示すようなシルク文字が主制御基板２１０上に印字されることとなる。
【００７５】
このように、偽造判別情報出力装置２７０は、偽造判別規則を主制御基板２１０に形成する偽造判別情報出力装置であって、入力キーなどの入力インターフェースと、入力インターフェースを介して設定情報を入力する入力画面と、入力画面の設定情報に従って、主制御基板２２１０上に偽造判別規則を出力する偽造判別規則出力手段と、を備えている。
【００７６】
なお、実施例６では、偽造判別情報出力装置２７０により、偽造判別規則を主制御基板２１０に形成したが、必ずしも機械で偽造判別規則を形成しなくてもよく、例えば、手作業で偽造判別規則を主制御基板２１０に形成するようにしてもよい。勿論、この場合にはシルク文字に限定されず、例えば、図８（ａ）に示した偽造判別用マークを偽造判別規則としてもよいし、図８（ｂ）に示した電子部品２１９の配置向きや図８（ｃ）に示した電子部品２２２の設置向きを偽造判別規則としてもよい。
＜制御部＞
次に、図１１を参照してスロットマシン１００の制御部の機能構成について説明する。本実施形態における制御部は、遊技の中枢部分の制御、すなわち、スロットマシン１００の遊技進行に関する処理を実行する主制御部３００（具体的には、上述した主制御基板２１０により実装されている）と、主制御部３００より送信された信号（制御コマンド）に応じて各種機器を制御する副制御部４００（具体的には、上述した副制御基板２２０により実装されている）と、副制御部４００から送信された信号に応じてＬＣＤ１５７及び扉装置１６３を制御する表示制御部５００（具体的には、上述した表示制御基板２３０により実装されている）と、から構成されている。副制御部４００と表示制御部５００とは、演出に関する処理を実行する。尚、制御部の構成は、これに限定されることはなく、例えば、主制御部３００と副制御部４００をひとつにしても何ら問題ない。
【００７７】
主制御部３００のマイクロプロセッサ（以下、ＭａｉｎＣＰＵと称す）３１０は、スロットマシン１００における制御の中枢となるものであり、バス３７０を介して、周辺部との間で制御信号やデータの受渡しが行われる。 
乱数発生器３１１は、内部抽選等に用いられる乱数を発生するもので、複数のカウンタ、クロック発振器、分周器及びラッチ回路等で構成される。乱数発生器３１１が発生した乱数値は、バス３７０を介して、ＲＡＭ３１３の乱数記憶領域に記憶され、必要に応じてＭａｉｎＣＰＵ３１０へ送られる。 
ＭａｉｎＣＰＵ３１０には、入力インターフェース３６０およびバス３７０を介して、メダル投入口１３４より投入されたメダルを検知するメダルセンサ３２１、スタートレバー１３５の操作を検知するスタートレバーセンサ３２２、ストップボタンユニット１３６のいずれかのストップボタンが押された場合、どのストップボタンが押されたかを検知するストップボタンセンサ３２３、メダル投入ボタン１３０及び１３１のいずれかが押下された場合、どのメダル投入ボタンが押されたかを検知するメダル投入ボタンセンサ３２４、精算ボタン１３２の操作を検知する精算ボタンセンサ３２５、払い出されるメダルを検知するメダル払出センサ３２６、インデックスセンサ３２７、及びリセットスイッチ３２８が接続されている。インデックスセンサ３２７は、各リール１１０〜１１２の取付台の所定位置に設置されており、リールに設けた遮光片がこのインデックスセンサ３２７を通過するたびにＨレベルになる。ＭａｉｎＣＰＵ３１０は、この信号を検出すると、リールが１回転したものと判断し、リールの回転位置情報をゼロにリセットする。リセットスイッチセンサ３２８は、ＲＡＭ３１３に記憶されている情報を初期化するためのリセットスイッチ（主制御部リセットスイッチ）の操作を検知するセンサである。
【００７８】
ＲＯＭ３１２は、各種制御を行うためのプログラムや、後述する各種テーブルデータ等を記憶している。ＲＡＭ３１３は、ＭａｉｎＣＰＵ３１０によって処理されるプログラムのワークエリアを有し、可変データ等を記憶する。 
また、リール１１０〜１１２の回転と停止を行うモータを制御するモータ駆動部３３０、及び、メダル払出装置（図示せず）を制御するホッパー駆動部３３１が、出力インターフェース３５０及びバス３７０を介してＭａｉｎＣＰＵ３１０に接続されている。 
遊技ランプ３４０は、具体的には、入賞ライン表示ランプ１２０、告知ランプ１２１、スタートランプ１２２、再遊技ランプ１２３、メダル投入ランプ１２４、ストップボタンユニット１３６のストップボタン１３７〜１３９に内蔵されているランプ等であり、出力インターフェース３５０およびバス３７０を介してＭａｉｎＣＰＵ３１０に接続されており、ＭａｉｎＣＰＵ３１０の指示に従って、点灯／点滅／消灯する。また、７セグメント表示器３４１は、具体的には、貯留枚数表示器１２６、表示器１２７、払出枚数表示器１２８等であり、出力インターフェース３５０およびバス３７０を介してＭａｉｎＣＰＵ３１０に接続されており、ＭａｉｎＣＰＵ３１０の指示に従って、表示を行う。
【００７９】
また、出力インターフェース３５０は、ＭａｉｎＣＰＵ３１０の指示に基づき、各種のコマンドを副制御部４００の入力インターフェース４３０へ送信する。コマンドには、例えば、メダルが投入されたことを示すコマンド、スタートレバーが操作されたことを示すコマンド、押されたストップボタンを示すコマンド、バックライト、上部ランプ、音声出力、ＬＣＤ等による演出の内容を規定したコマンド等がある。
【００８０】
副制御部４００のマイクロプロセッサ（以下、ＳｕｂＣＰＵと称す）４１０は、主制御部３００から送信された各種コマンドを入力インターフェース４３０およびバス４７０を介して受信し、受信したコマンドの内容に応じて副制御部４００全体を制御する。 
ＲＯＭ４１１は、副制御部４００全体を制御するためのプログラムやデータ等を記憶している。ＲＡＭ４１２は、ＳｕｂＣＰＵ４１０で処理されるプログラムのワークエリアを有し、可変データ等を記憶する。 リセットスイッチ４１３は、ＲＡＭ４１２に記憶されている情報を初期化するためのリセットスイッチ（副制御部リセットスイッチ）の操作を検知するセンサである。
【００８１】
演出用発光表示部４２１は、具体的には、リールの絵柄を照らすバックライト、上部ランプ１５０、サイドランプ１５１、中央ランプ１５２、腰部ランプ１５３、下部ランプ１５４、受皿ランプ１５６等の遊技を盛り上げるための演出用のランプであり、出力インターフェース４２０及びバス４７０を介してＳｕｂＣＰＵ４１０と接続されており、ＳｕｂＣＰＵ４１０の指示に従って、点灯／点滅／消灯する。
【００８２】
楽音信号形成部４６０は、ＳｕｂＣＰＵ４１０から受け渡された制御信号やデータに基づいて、楽音信号を形成して出力する。この楽音信号は、アンプ４６１で増幅された後、スピーカ４６２から音として出力される。 
出力インターフェース４５０は、ＳｕｂＣＰＵ４１０の指示に基づき、各種制御データを表示制御部５００へ送信する。表示制御部５００は、制御データに基づき、ＬＣＤ１５７及び扉装置１６３を制御する。
＜遊技の基本的制御＞
図１２は、本実施形態のスロットマシン１００における遊技の基本的制御を示す主制御部メイン処理のフローチャートである。遊技の基本的制御は、主制御部３００のＭａｉｎＣＰＵ３１０が中心になって行い、電源断等を検知しないかぎり、同図のステップＳ１０２からＳ１０９の処理を繰り返し実行する。
【００８３】
ステップＳ１０１では、電源投入が行われると、まず、各種の初期化処理が行われる。
【００８４】
ステップＳ１０２では、メダル投入に関する処理を行う。ここでは、メダルの投入の有無をチェックし、投入されたメダルの枚数に応じて入賞ライン表示ランプ１２０を点灯させる。なお、前回の遊技で再遊技に入賞した場合はメダルの投入が不要である。
【００８５】
ステップＳ１０３では、遊技のスタート操作に関する処理を行う。ここでは、スタートレバー１３５が操作されたか否かのチェックを行い、スタート操作されたと判断した場合は、投入されたメダル枚数を確定する。また、副制御部４００に対してスタートレバー受付コマンドを送信する。副制御部４００は、このスタートレバー受付コマンドを受信することによって遊技の開始を把握する。
【００８６】
ステップＳ１０４では、有効な入賞ラインを確定する。
【００８７】
ステップＳ１０５では、乱数発生器３１１で発生させた乱数を取得する。
【００８８】
ステップＳ１０６では、ステップＳ１０５で取得した乱数値と、ＲＯＭ３１２に格納されている入賞役抽選テーブルの抽選データを用いて、入賞役の内部抽選を行う。内部抽選の結果、いずれかの入賞役に内部当選した場合、その入賞役のフラグが内部的にＯＮになる。また、副制御部４００に対して内部当選結果コマンドを送信する。例えば、再遊技当選、ＢＢ（ビッグボーナス）当選、小役１当選、小役２当選、小役３当選などの内部当選結果コマンドを送信する。副制御部４００は、この内部当選結果コマンドを受信することによって内部抽選の結果を把握する。また、このステップＳ１０６では、内部抽選結果等に基づき、リール停止制御データを選択する。
【００８９】
ステップＳ１０７では、リール回転開始処理により、全リール１１０〜１１２の回転を開始させる。
【００９０】
ステップＳ１０８では、ストップボタン１３７〜１３９の受け付けが可能となり、リール制御処理により、押されたストップボタン１３７〜１３９に対応するリール１１０〜１１２の回転を停止させる。この際、各リール１１０〜１１２を、ステップＳ１０６で選択したリール停止制御データに基づいて停止させる。また、このステップＳ１０８では、副制御部４００に対して停止位置図柄コマンドを送信する。副制御部４００は、この停止位置図柄コマンドを受信することによって、各リール１１０〜１１２が、どの図柄位置で停止しているかを把握する。
【００９１】
ステップＳ１０９では、ストップボタン１３７〜１３９が押されることによって停止した図柄の入賞判定を行う。ここでは、有効ライン上に、内部当選した入賞役またはフラグ持越し中の入賞役に対応する入賞図柄組合せが揃った（表示された）場合にその入賞役に入賞したと判定する。例えば、有効ライン上に、「リプレイ−リプレイ−リプレイ」が揃っていたならば再遊技入賞と判定する。また、ステップＳ１０９では、副制御部４００に対して判定結果コマンドを送信する。例えば、本実施形態においては、ＢＢ入賞、再遊技入賞、小役１入賞などの判定結果コマンドを送信する。副制御部４００は、この判定結果コマンドを受信することによって入賞の結果を把握する。
【００９２】
ステップＳ１１０では、メダル払出処理を行う。このメダル払出処理では、払い出し（配当）のある何らかの入賞役に入賞していれば、その入賞役に対応する枚数のメダルを払い出す。
【００９３】
ステップＳ１１１では、遊技状態制御処理を行う。遊技状態制御処理では、遊技状態を移行するための制御が行われ、例えば、ＢＢ入賞の場合に次回からＢＢ遊技を開始できるよう準備し、それらの最終遊技では、次回から通常遊技が開始できるよう準備する。また、ステップＳ１１１では、副制御部４００に対して現在の遊技状態を示す状態コマンドを送信する。副制御部４００は、この状態コマンドを受信することによって現在の遊技状態を把握する。
【００９４】
以上により１遊技が終了し、以降、ステップＳ１０２〜Ｓ１１１を繰り返すことにより遊技が進行することになる。
【００９５】
以上述べたように、本実施形態のスロットマシン１００の主制御基板２１０によれば、主制御基板２１０に回路基板を設計する場合に生じる誤差と判定され得るような規則であって、視覚的に目立つものではない偽造判別規則を施しているので、不正対策を施しても不正対策と気付かれにくいとともに、正規基板か不正基板かの確認作業を容易に行うことができる。
＜その他の実施形態＞
以上、本発明の実施形態について説明してきたが、本発明の要旨を逸脱しない範囲において、本発明の実施形態に対して種々の変形や変更を施すことができる。
【００９６】
例えば、上記実施形態の主制御基板２１０では、偽造判別規則を表面に形成していたが、裏面に形成してもよい。図１３（ａ）は、裏面に偽造判別規則を形成した主制御基板２１０Ｊの要部を示す図である。図１３（ａ）は、会社名称２１２近傍に配設する電子部品２１９（例えば、ＲＯＭなどのＩＣ）を基板にハンダ付けした際の表面及び裏面の様子をそれぞれ示している。
【００９７】
図１３（ａ）に示すように、電子部品２１９から突設した複数のピン２２３は、基板に形成された孔を挿通して裏面に突出した状態で、それぞれハンダ２２４により基板に固定されている。このときに、複数のピン２２３のうち、特定のピン２２３ａはクリンチされて（折れ曲がった状態）、ハンダ付けされている。
【００９８】
このように、本変形例においては、一の電子部品２１９の特定のピン２２３ａのクリンチを偽造判別規則としている。なお、偽造判別規則を形成しない主制御基板の一の電子部品２１９においては、特定のピンはクリンチされていない。なお、この特定のピン２２３ａの発見を容易とするために、本変形例では、対応する表面のピン位置には目印マーク２２５を付けている。
【００９９】
したがって、本変形例によれば、偽造判別の確認を行う人は、主制御基板２１０Ｊの会社名称２１２近傍に配設する電子部品２１９の特定ピン２２３のクリンチの有無を視認することによって、主制御基板２１０Ｊが正規基板であるか不正基板であるかを簡単に判別することができる。一方、偽造判別規則を知らない第三者は、主制御基板２１０Ｊの特定ピン２２３ａのクリンチに気付かないので、偽造判別規則を施した主制御基板２１０Ｊを模して作成することはできない。
【０１００】
なお、図１３（ａ）では、電子部品２１９の特定のピン２２３ａのクリンチを偽造判別規則としたが、図１３（ｂ）に示すように、ピン２２３をハンダ付けする際のハンダ量を偽造判別規則としてもよいし、また、図１３（ｃ）に示すように、ピン２２３の足の長さを偽造判別規則としてもよい。
【０１０１】
例えば、図１３（ｂ）に示すように、裏面に露出した特定のピン２２３ａをハンダ付けしているハンダ２２４ａの量は、他のピン２２３をハンダ付けしているハンダ２２４の量よりも際立って多くなっている。このように、図１３（ｂ）に示す変形例においては、偽造判別規則を裏面に表出したハンダ量としている。なお、偽造判別規則が施されていない主制御基板の裏面においては、ハンダ量は略均一となっている。
【０１０２】
また、図１３（ｃ）に示すように、裏面に露出した特定のピン２２３ａの足の長さは、他のピン２２３の足の長さよりも際立って長くなっている。このように、図１３（ｃ）に示す変形例においては、偽造判別規則を裏面に突出したピン２２３の足の長さとしている。なお、偽造判別規則が施されていない主制御基板の裏面においては、ピン２２３の足の長さは略均一となっている。
【０１０３】
このように、偽造判別規則を主制御基板２１０の表面に形成するほか、裏面に形成するようにしてもよい。
【０１０４】
また、上記実施形態では、主制御基板２１０に対して偽造判別規則を設ける例について説明してきたが、偽造判別規則を設ける制御基板は主制御基板２１０に限定されない。例えば、副制御基板２２０や表示制御基板２３０、中継基板に対して偽造判別規則を設けるようにしてもよい。
【０１０５】
また、上記実施形態においてはメダルを用いるスロットマシンに対して本発明を適用したが、本発明はこれに限定されるものではなく、例えば、遊技球（例えば、パチンコ玉）を遊技媒体としたスロットマシンやパチンコ遊技機などにも適用可能である。
【０１０６】
例えば、上記実施形態及び上記変形例で用いた偽造判別規則を設けた制御基板を「所定の遊技領域に球を発射する発射装置と、発射装置から発射された球を入球可能に構成された入賞口と、入賞口に入球した球を検知する検知手段と、検知手段が球を検知した場合に球を払出す払出手段と、所定の図柄(識別情報)を変動表示する可変表示装置を備え、入賞口に遊技球が入って入賞することを契機として、可変表示装置が図柄を変動させた後に停止表示させて、遊技状態の推移を告知するようなパチンコ遊技機」に用いてもよい。
＜実施形態のまとめ＞
遊技台（例えば、スロットマシン）は、メダルを投入してスタートレバーを操作することでリールを回転させるとともに、内部抽選によって役を内部決定し、ストップボタンを操作することでリールを停止させた時に、図柄表示窓上に内部決定に応じて予め定められた図柄の組合せが表示されると役が成立するように構成されている。そして、メダルの払出を伴う役が成立した場合には、成立した役に対応する規定数のメダルが払い出されるようになっている。
【０１０７】
このような遊技台は、遊技進行を制御する主制御回路を搭載した主制御基板において主要な情報の処理が行われることから、主制御基板に不正な改造または不正な部品取り付けがされないよう、主制御基板は封印ケースに収納されている。
【０１０８】
しかしながら、近年は遊技台への不正行為がさらに巧妙化し、正規品と外観がほぼ同じでありながら不正部品を取り付けた回路基板を作りだし、遊技機設置店内においてこの不正な回路基板に交換するなどの不正行為が問題になっている。
【０１０９】
そこで、回路基板や、それを覆うケースに複数の識別番号やマーク等の識別データを刻印する遊技機が開示されている（例えば、特許文献１参照）。この遊技機によれば、識別データを刻印することによって不正行為は困難になるとしている。
【０１１０】
しかしながら、正規品に外観として目立つ不正対策が施されている場合には、これを模して同外観の部品が作り出されてしまうので、結局のところは模倣品がつくられるまでの時間の問題となり、正規部品に新たな不正対策が施さなければならなくなるという問題がある。
【０１１１】
また、肉眼で判断できないような不正対策を施し、正規品か不正品かを特殊装置を使わないと判別できない場合には、複数メーカーの遊技台を取り扱う遊技機設置店内において、特定のメーカーの遊技機の不正部品の確認作業のためだけに特殊装置を備え、これを用いた確認作業を強いることとなるので、作業性が悪く、確認作業が容易でないという問題がある。
【０１１２】
本発明は、上記の問題を解決するためになされたものであり、その課題の一例としては、不正対策を施しても第三者に不正対策と気付かれにくいとともに、正規基板か不正基板かの確認作業を容易に行うことができる回路基板を備えた遊技台を提供することにある。
【０１１３】
以上から、本発明に係る遊技台は、その一態様として、複数種類の電子部品を実装した回路基板を備える遊技台であって、前記回路基板は、複数の同一機能を有する特定部位を備え、一の前記特定部位の配置は、予め定めた偽造判別規則に従って、他の前記特定部位の配置と異なっていることを特徴とする。
【０１１４】
本発明の一態様においては、回路基板上の配置に偽造回路基板を判別するための偽造判別規則が含まれているので、不正対策を施しても第三者に不正対策と気付かれにくいとともに、正規基板か不正基板かの確認作業を容易に行うことができる。
【０１１５】
また、前記特定部位は、回路基板のグランドパターンであり、前記他の特定部位のグランドパターンの一辺は、前記回路基板の周縁近傍の所定基準直線に沿って配置される一方、前記一の特定部位のグランドパターンの一辺は、一部または全部を前記所定基準直線から僅少離隔して配置されることが好ましい。これにより、回路基板における設計上の支障もなく、正規基板か不正基板かの確認作業を容易に行うことができる。また、回路基板のグランドパターンの配置に偽造回路基板を判別するための偽造判別規則が含まれているので、不正対策を施しても第三者に不正対策と気付かれにくい。
【０１１６】
この場合、さらには、前記一の特定部位のグランドパターンの一辺は、一部が凹形状をなして窪み、窪んだ凹形状の凹底が前記所定基準直線から僅少離隔して配置されるようにしてもよい。これにより、不正基板が、偶然、偽造回路基板を判別するための偽造判別規則を形成することは確実に排除される。
【０１１７】
また、前記特定部位は、前記電子部品の識別情報を有するシルク印刷文字であり、前記他の特定部位のシルク印刷文字は、予め定めた文字配置間隔に基づき配置される一方、前記一の特定部位のシルク印刷文字は、前記予め定めた文字配置間隔とは異なった配置間隔で配置されることが好ましい。これにより、回路基板における設計上の支障もなく、正規基板か不正基板かの確認作業を容易に行うことができる。また、シルク印刷文字の文字配置間隔に偽造回路基板を判別するための偽造判別規則が含まれているので、不正対策を施しても第三者に不正対策と気付かれにくい。
【０１１８】
この場合、さらには、前記一の特定部位のシルク印刷文字は、文字に加えて付加情報を含み、当該付加情報が異なった配置を形成してもよい。この場合、シルク印刷文字における付加情報の配置に偽造回路基板を判別するための偽造判別規則が含まれているので、不正対策を施しても第三者に不正対策と気付かれにくいとともに、正規基板か不正基板かの確認作業を容易に行うことができる。
【０１１９】
また、前記特定部位は、前記電子部品の識別情報を有するシルク印刷文字であり、前記他の特定部位のシルク印刷文字は、予め定めた書体で印字して配置される一方、前記一の特定部位のシルク印刷文字の少なくとも一文字は、前記予め定めた書体とは異なる書体で印字され、前記予め定めた書体とは配置位置が異なるのが好ましい。この場合、シルク印刷文字の書体に偽造回路基板を判別するための偽造判別規則が含まれているので、不正対策を施しても第三者に不正対策と気付かれにくいとともに、正規基板か不正基板かの確認作業を容易に行うことができる。
【０１２０】
また、前記特定部位は、前記電子部品であり、一の前記特定部位における前記電子部品の前記回路基板に対する設置方向は、他の前記特定部位における前記電子部品の前記回路基板に対する設置方向と異なっていることが好ましい。この場合、電子部品の設置方向に偽造回路基板を判別するための偽造判別規則が含まれているので、不正対策を施しても第三者に不正対策と気付かれにくいとともに、正規基板か不正基板かの確認作業を容易に行うことができる。
【０１２１】
この場合、さらには、前記他の特定部位における前記電子部品は、前記回路基板に対して略垂直に立設される一方、前記一の特定部位における前記電子部品は、前記略垂直から傾斜して立設されるようにしてもよい。これにより、電子部品の設置傾斜角度を視認すれば、正規基板か不正基板かの確認作業を容易に行うことができる。
【０１２２】
また、本発明に係る遊技台は、別の一態様として、複数種類の電子部品を実装した回路基板を備える遊技台であって、前記回路基板は、複数の同一機能を有する特定部位を備え、前記特定部位は、特定電子部品であり、一の前記特定電子部品上に記載されるマークは、予め定めた偽造判別規則に従って、他の前記特定電子部品上に記載されるマークと異なっていることを特徴とする。
【０１２３】
本発明の別の一態様においては、特定電子部品に記載されるマークに偽造回路基板を判別するための偽造判別規則が含まれているので、不正対策を施しても第三者に不正対策と気付かれにくいとともに、正規基板か不正基板かの確認作業を容易に行うことができる。
【０１２４】
また、本発明に係る遊技台は、別の一態様として、複数種類の電子部品を実装した回路基板を備える遊技台であって、前記回路基板は、複数の同一機能を有する特定部位を備え、前記特定部位は、特定電子部品であり、一の前記特定電子部品の前記回路基板の裏面から突出する複数のピンの少なくとも一つの突出規則は、予め定めた偽造判別規則に従って、他の前記特定電子部品の前記回路基板の裏面から突出するピンの突出規則とは異なることを特徴とする。
【０１２５】
本発明の別の一態様においては、特定電子部品のピンの突出規則に偽造回路基板を判別するための偽造判別規則が含まれているので、不正対策を施しても第三者に不正対策と気付かれにくいとともに、正規基板か不正基板かの確認作業を容易に行うことができる。
【０１２６】
一例としては、前記突出規則は、ピンの長さであり、前記一の前記特定電子部品の前記回路基板の裏面から突出する複数のピンの少なくとも一つのピンの長さは、他の前記特定電子部品の前記回路基板の裏面から突出するピンの長さとは異なることが好ましい。これにより、特定電子部品のピンの長さを視認すれば、正規基板か不正基板かの確認作業を容易に行うことができる。
【０１２７】
また、別の一例としては、前記突出規則は、ピンのクリンチ設定であり、前記一の前記特定電子部品の前記回路基板の裏面から突出するピンのクリンチ設定は、他の前記特定電子部品の前記回路基板の裏面から突出するピンのクリンチ設定とは異なることが好ましい。これにより、特定電子部品のピンのクリンチ設定を視認すれば、正規基板か不正基板かの確認作業を容易に行うことができる。
【０１２８】
また、前記回路基板は、透光性を有する基板収納ケースに収容されるとともに、前記電子部品を実装する面を外部から視認可能となるように遊技台本体に配置され、前記基板収納ケースは、前記一の前記特定部位を覆う部位を平滑形状とすることが好ましい。この場合には、遊技台の前面扉を開けた状態で、回路基板を視認することができるので、回路基板が偽造回路基板であるか否かの識別が容易である。
【０１２９】
また、上記構成の遊技台において、前記一の前記特定部位を複数備えるようにしてもよい。これにより、正規基板か不正基板かの確認作業をより容易になるとともに、不正基板が正規基板として作成される偶然性を確実に排除できる。
【０１３０】
また、本発明に係る遊技台は、別の一態様として、複数種類の電子部品を実装した回路基板を備える遊技台であって、前記回路基板は、複数の同一機能を有する特定部位を備え、一の前記特定部位の実装規則は、予め定めた偽造判別規則に従って、他の前記特定部位の実装規則と異なっていることを特徴とする。
【０１３１】
本発明の別の一態様においては、回路基板上の実装規則に偽造回路基板を判別するための偽造判別規則が含まれているので、不正対策を施しても第三者に不正対策と気付かれにくいとともに、正規基板か不正基板かの確認作業を容易に行うことができる。
【図１】
0005640205.tif 000002
【図２】
0005640205.tif 000003
【図５】
0005640205.tif 000004
【図６】
0005640205.tif 000005
【図７】
0005640205.tif 000006
【図８】
0005640205.tif 000007
【図９】
0005640205.tif 000008
【図１０】
0005640205.tif 000009
【図１１】
0005640205.tif 000010
【図１２】
0005640205.tif 000011
【図１３】
0005640205.tif 000012
【図３】
0005640205.tif 000013
【図４】
0005640205.tif 000014